(57)【特許請求の範囲】
【請求項１】
美容用、化粧用、またはケア用の製品（Ｐ）を睫毛および／または眉毛に塗布するためのアプリケータ（２）であって、成形されたアプリケータ部材（８）を有し、前記アプリケータ部材（８）が、
−  長手方向軸（Ｘ）に沿って延びるコア（１０）と、
−  前記コア（１０）によって担持される複数のスパイク（１８）と、
−  複数の前記スパイク（１８）のそれぞれのための補強帆（１３）と、を有し、
複数の前記スパイク（１８）が、前記コア（１０）の前記長手方向軸（Ｘ）に平行な複数の長手方向列（１７、１９、２０）のそれぞれに配置され、前記スパイク（１８）の基部によって前記コア（１０）に結び付けられ、
前記補強帆（１３）は、前記補強帆（１３）の基部における一辺が前記コア（１０）と結合し、前記一辺とは異なる他の一辺が前記スパイク（１８）と結合している略三角形の形状を有し、
前記補強帆（１３）が、前記複数の長手方向列（１７、１９、２０）に配置されて、前記長手方向軸（Ｘ）に平行に延び、
各長手方向列（１７）が、隣接する長手方向列（１９）に対して軸方向にオフセットされ、
２つの連続したスパイク（１８）の前記補強帆（１３）が、互いの間に溝（１３ｂ）を画定することを特徴とするアプリケータ。
【請求項２】
２つの対向する補強帆（１３）が、各スパイク（１８）の脇に位置する、請求項１に記載のアプリケータ。
【請求項３】
補強帆（１３）とスパイク（１８）との間の結び付けが、前記スパイク（１８）の延伸軸（Ｗ）に平行な隆起部（１３ａ）に沿って行われる、請求項１または２に記載のアプリケータ。
【請求項４】
２つの隣接する長手方向列（１７、１９）の前記補強帆（１３）が、前記補強帆（１３）の基部において結合されていない、請求項１から３のいずれか一項に記載のアプリケータ。
【請求項５】
２つの隣接する列（１７、１９）の前記スパイク（１８）が、前記スパイク（１８）の基部において結合されていない、請求項１から４のいずれか一項に記載のアプリケータ。
【請求項６】
前記溝（１３ｂ）が丸い底部を有する、請求項１に記載のアプリケータ。
【請求項７】
前記溝（１３ｂ）の前記丸い底部が、前記コア（１０）の前記長手方向軸（Ｘ）に垂直な軸回りの円柱形である、請求項６に記載のアプリケータ。
【請求項８】
前記補強帆（１３）が、前記コア（１０）の前記長手方向軸（Ｘ）に対して１０°から５５°の間の勾配を有する、略三角形の形状を有する、請求項１に記載のアプリケータ。
【請求項９】
前記補強帆（１３）の高さ（ｈｖ）が、前記スパイク（１８）の高さ（ｈｐ）未満である、請求項１から８のいずれか一項に記載のアプリケータ。
【請求項１０】
前記補強帆（１３）の高さ（ｈｖ）が、前記スパイク（１８）の高さ（ｈｐ）の４分の３未満である、請求項９に記載のアプリケータ。
【請求項１１】
前記補強帆（１３）の高さ（ｈｖ）と、前記スパイク（１８）の高さ（ｈｐ）との比率（ｈｖ／ｈｐ）が、０．０５から０．２の間である、請求項１から１０のいずれか一項に記載のアプリケータ。
【請求項１２】
前記補強帆（１３）の高さ（ｈｖ）と、前記スパイク（１８）の高さ（ｈｐ）との比率（ｈｖ／ｈｐ）が、０．０６から０．１５の間である、請求項１１に記載のアプリケータ。
【請求項１３】
前記補強帆（１３）の高さ（ｈｖ）が、前記コア（１０）の前記長手方向軸（Ｘ）に沿って一定である、請求項１から１２のいずれか一項に記載のアプリケータ。
【請求項１４】
前記補強帆（１３）の高さ（ｈｖ）が、０．１ｍｍから０．５ｍｍの間である、請求項１３に記載のアプリケータ。
【請求項１５】
前記補強帆（１３）の高さ（ｈｖ）が、０．１５ｍｍから０．３５ｍｍの間である、請求項１４に記載のアプリケータ。
【請求項１６】
前記補強帆（１３）の厚さ（ｅｖ）が、前記スパイク（１８）の厚さ（ｅｐ）未満である、請求項１から１５のいずれか一項に記載のアプリケータ。
【請求項１７】
前記補強帆（１３）が、前記スパイク（１８）の方向に狭窄し、前記補強帆（１３）の厚さおよび幅は、スパイク（１８）の自由端（１８ｅ）の方向に減少する、請求項１から１６のいずれか一項に記載のアプリケータ。
【請求項１８】
前記補強帆（１３）の基部において前記補強帆（１３）の幅（ｌｖ）が、前記コア（１０）の前記長手方向軸（Ｘ）に沿って一定である、請求項１から１７のいずれか一項に記載のアプリケータ。
【請求項１９】
前記スパイク（１８）が、スパイク（１８）の円周方向列（２１、２２）に沿って配置され、前記コア（１０）の前記長手方向軸（Ｘ）に沿う２つの連続した円周方向列（２１、２２）が、非ゼロの角度（α）によって角度的にオフセットされる、請求項１から１８のいずれか一項に記載のアプリケータ。
【請求項２０】
前記非ゼロの角度（α）が、円周方向列の前記スパイク（１８）間の角度ピッチ（β）の半分に等しい、請求項１９に記載のアプリケータ。
【請求項２１】
製品（Ｐ）をパッケージ化し、睫毛および／または眉毛に塗布するための用具（１）であって、請求項１から２０のいずれか一項に記載のアプリケータ（２）と、前記製品（Ｐ）を収容する容器（３）とを有することを特徴とする用具。
【発明の詳細な説明】
【技術分野】
【０００１】
本発明は、美容用、化粧用、またはケア用の製品、たとえば、マスカラを睫毛および／または眉毛に塗布するためのアプリケータに関する。
【０００２】
本発明はまた、塗布されることになる製品を収容し、好ましくはしごき部材を備えている容器と、アプリケータとを有する用具に関する。
【背景技術】
【０００３】
特許文献１は、塗布要素を有するアプリケータであって、塗布要素が、コアの１つの側に位置付けられており、前記コア上の長手方向リブのいずれかの側において配置されている、アプリケータを開示している。
【先行技術文献】
【特許文献】
【０００４】
【特許文献１】欧州特許出願公開第１０７０４６６号
【特許文献２】国際公開第２００６／０９０３４３号
【発明の概要】
【発明が解決しようとする課題】
【０００５】
製品、具体的にはマスカラを睫毛および／または眉毛に塗布するためのアプリケータをさらに改善して、その性能を改善し、より具体的には製品をよりたっぷり含む範囲をアプリケータ部材上に生成するのを促進することの必要があり、それにより、睫毛および／または眉毛を分離するための高い能力を維持すると同時に、容易に化粧を施すこと、ならびに睫毛および／または眉毛に迅速かつ潤沢に載せることが可能になる。
【課題を解決するための手段】
【０００６】
本発明は、この目的に合致することを目的とし、その態様のうちの１つによるその主題は、美容用、化粧用、またはケア用の製品を睫毛および／または眉毛に塗布するためのアプリケータであり、このアプリケータは、成形されたアプリケータ部材を有し、この成形されたアプリケータ部材は、
−  長手方向軸に沿って延びるコアと、
−  コアによって担持されるスパイクと、
−  スパイクのための補強帆(reinforcing sail)と、を有し、このスパイクは、スパイクの基部によってコアに結び付けられ、コアの長手方向軸に平行に延び、複数の長手方向列に配置され、少なくとも１つの第１の長手方向列は、第２の長手方向列に対して軸方向にオフセットされる。
【０００７】
補強帆により、スパイクの基部は、長手方向における屈曲に対して補強され、スパイクは、アプリケータが引き抜かれる間、曲がりにくく、これは、コアのしごきを防止するのに役立つ。これにより、アプリケータ部材において、具体的には列間および列のスパイク間のスパイクの基部において、アプリケータがしごき部材を通過するときにしごかれにくい、リザーバを形成する範囲を得ることが可能になり、したがって、製品の余剰分が、しごき後のコアの全長に沿って、コアを中心として全面的に与えられる。この製品の余剰分により、睫毛および／または眉毛に、多量で満足のいく量の製品を最初の塗布から載せることが可能になる。
【０００８】
化粧を施す間、これらの範囲は、その内容物が徐々に空になり、睫毛および／または眉毛が前記範囲と接触する。したがって、ユーザが、アプリケータを容器の中に挿入し直すことによってそのアプリケータにそれほど頻繁に載せ直さなくても、睫毛および／または眉毛には、適切に製品が載せられる。
【０００９】
補強帆の高さおよび形状は、しごき後、アプリケータに製品が載せられるレベルを調整するために、製造中に変更可能である。
【００１０】
「コアの長手方向軸(longitudinal axis of the core)」という表現は、コアの横断面の質量中心のすべてを結ぶ線を示す。長手方向軸は、具体的にはコアが、円形横断面または正多角形の全体形状における横断面を有するとき、コアの中心軸であっても、または対称軸であってもよい。コアの長手方向軸は、直線状であっても、または湾曲していてもよく、コアの横断面の一部、またはすべての対称平面であってもよい平面に含まれていることができる。好ましくは、コアの長手方向軸は、直線状である。
【００１１】
「スパイク(spike)」という用語は、睫毛および／または眉毛とかみ合うことを意図した個別化可能な突出要素を示す。
【００１２】
「長手方向列を軸方向にオフセットする(axially offset longitudinal rows)」という表現は、これらの列における同じ階層の補強帆が、コアの長手方向軸に沿って同じ位置を占めないことを意味すると理解すべきである。
【００１３】
有利には、２つの対向する補強帆は、アプリケータ部材の各スパイクの脇に位置する。２つの対向する補強帆は、それらが脇に位置するスパイクの中央平面に関して対称とすることができる。
【００１４】
好ましい実施形態においては、補強帆とスパイクとの間の結付きは、スパイクの延伸軸に平行な補強帆の隆起部に沿って行われる。「スパイクの延伸軸(elongation axis of the spike)」という表現は、スパイクの横断面の質量中心を貫通する軸を示す。
【００１５】
１つの長手方向列内では、有利には、２つの連続したスパイクの補強帆は、互いの間に溝を画定する。これは、スパイク間の製品のリザーバを作り出すことを可能にし、最初の塗布から多量に載せることが可能になる。
【００１６】
この溝は、丸い底部を有し、具体的にはコアの長手方向軸に垂直な軸回りの円柱形とすることができる。好ましくは、溝は、コアから非ゼロ距離において完全に延びる。
【００１７】
有利には、補強帆は、アプリケータ部材をその長手方向軸に垂直な方向で見たとき、略三角形の形状を有し、斜めに延びるそれらの側面は、コアの長手方向軸に対して１０°から５５°の間の勾配を有することができる。
【００１８】
２つの隣接する長手方向列におけるスパイクの補強帆は、それらの基部において、結合していなくてよい。１つの変形形態においては、２つの隣接する長手方向列の補強帆は、一緒に結合される。
【００１９】
好ましくは、補強帆の高さは、スパイクの高さ未満であり、具体的にはスパイクの高さの４分３未満である。「補強帆の高さ(height of a reinforcing sail)」という表現は、それが結合されているスパイクに補強帆を結び付ける隆起部の高さであって、スパイクの延伸軸に沿って測定される隆起部の高さを示す。「スパイクの高さ(height of a spike)」という表現は、スパイクの自由端と、スパイクがコアに結合された基部との間のスパイクの延伸軸に沿って測定される距離を示す。
【００２０】
補強帆の高さとスパイクの高さとの比率は、０．０５から０．２の間、さらに好ましくは、０．０６から０．１５の間とすることができる。
【００２１】
補強帆の高さは、コアの長手方向軸に沿って一定とすることができ、具体的には０．１ｍｍから０．５ｍｍの間、さらに好ましくは、０．１５ｍｍから０．３５ｍｍの間である。１つの変形形態においては、補強帆の高さは、コアの長手方向軸に沿って、たとえば、１つまたは複数の長手方向列内で、および／あるいは長手方向列によって変わる。
【００２２】
補強帆の厚さは、スパイクの厚さ未満とすることができる。「補強帆の厚さ(thickness of a reinforcing sail)」という表現は、コアの長手方向軸に垂直な断面において、補強帆の最大横断方向寸法を示す。「スパイクの厚さ(thickness of a spike)」という表現は、スパイクの延伸軸およびコアの長手方向軸に垂直な断面において、スパイクの最大横断方向寸法を示す。
【００２３】
補強帆の厚さは、０．２ｍｍから０．７５ｍｍの間、さらに好ましくは、０．３５ｍｍから０．６５ｍｍの間とすることができ、具体的には約０．４ｍｍに等しい。
【００２４】
有利には、補強帆の、それらの基部における幅は、コアの長手方向軸に沿って一定である。「補強帆の幅(width of a reinforcing sail)」という表現は、コアの長手方向軸に沿う断面において、補強帆の最大横断方向寸法を示す。補強帆の、それらの基部における幅は、０．２ｍｍから２ｍｍの間、さらに好ましくは、０．５ｍｍから０．９ｍｍの間とすることができ、たとえば、０．６ｍｍまたは１ｍｍに等しい。
【００２５】
補強帆は、スパイクの方向に狭窄することができ、すなわち、それらの厚さおよびそれらの幅は、スパイクの自由端の方向に減少することができる。
【００２６】
コアおよびスパイク
有利には、スパイクは、コアから、コアを中心として全面的に延びる。たとえば、スパイクの少なくとも８つの長手方向列がある。
【００２７】
有利には、スパイクおよび補強帆は、アプリケータ部材において、複数の、好ましくは直線状の長手方向列に配置される。
【００２８】
好ましくは、各長手方向列は、続く長手方向列に対して軸方向にオフセットされる。
【００２９】
１つおきの長手方向列におけるスパイクおよび補強帆はすべて、コアの長手方向軸に沿って同じ軸位置にあってよい。
【００３０】
長手方向列の数は、偶数とすることができる。
【００３１】
２つの隣接する長手方向列におけるスパイクは、それらの基部において、結合されていなくてよい。
【００３２】
１つの、同じ長手方向列内では、階層ｎとｎ＋１の２つのスパイク間の間隔は、２つのスパイクの２つのそれぞれの中央平面間の、列の長手方向軸に沿って測定され、０．５ｍｍから２．５ｍｍｍの間、さらに好ましくは、１ｍｍから２ｍｍの間とすることができ、具体的には約１．８ｍｍに等しい。
【００３３】
スパイクはまた、コアの長手方向軸上の１つの、同じ軸位置を占めるスパイクによってそれぞれ形成される、スパイクのクラウンと称される円周方向列に配置可能である。
【００３４】
スパイクの埋込みは、スパイクの２つの連続したクラウンのスパイク間のコアの長手方向軸に関する角度オフセットαが、非ゼロになるように、好ましくは、１つの、同じクラウンの中の２つの連続したスパイク間の角度ピッチβの半分に等しくなるようにすることができる。
【００３５】
少なくとも１つのスパイクは、スパイクがコアに取り付けられる点において、コアの表面に垂直な延伸軸に沿ってコアから延び得る。好ましくは、スパイクはそれぞれ、スパイクがコアに取り付けられる点において、コアの表面に垂直な延伸軸に沿ってコアから延びる。
【００３６】
一変形形態においては、スパイクの延伸軸は、スパイクがコアに取り付けられる点において、コアの表面と９０°以外の角度を形成する。
【００３７】
コアから測定される、少なくとも１つのスパイクの高さは、０．５ｍｍから３ｍｍの間、さらに好ましくは、０．７５ｍｍから２ｍｍの間とすることができる。
【００３８】
好ましくは、スパイクの高さは、たとえば、コアの長手方向軸に沿って単調な形で変動する。１つの変形形態においては、スパイクの高さは、コアの長手方向軸に沿って一定である。
【００３９】
スパイクは、平坦な横断面を有することができ、言い換えれば、スパイクは、その高さの少なくとも一部にわたって、その延伸方向に垂直に測定される横断面を有し、その横断面は、平坦化平面において細長い形状を有し、言い換えれば、厚いというよりは広い。
【００４０】
アプリケータ上のいくつかのスパイク、またはすべてのスパイクですら、厚さは、０．３ｍｍから０．８５ｍｍの間、さらに好ましくは、０．４５ｍｍから０．７５ｍｍの間であってよく、前記厚さは、具体的には約０．５ｍｍに等しい。
【００４１】
アプリケータ上のいくつかのスパイク、またはすべてのスパイクですら、幅は、０．２ｍｍから０．８ｍｍの間、さらに好ましくは、０．３５ｍｍから０．６５ｍｍの間であってよく、前記幅は、具体的には約０．４ｍｍに等しい。「スパイクの幅（ｗｉｄｔｈ  ｏｆ  ａ  ｓｐｉｋｅ）」という表現は、コアの長手方向軸に沿う断面において、スパイクの最大横断方向寸法を示す。
【００４２】
スパイクは、任意の形状、具体的には、円柱形または先細りの形状を有することができ、好ましくは、円錐形の形状を有する。変形形態においては、スパイクは、具体的には六角形の基部付きの半円錐形、円錐台形、またはピラミッド形の形状を有する。さらなる変形形態においては、スパイクは、前面から見て、非対称の形状および外側に凸状の縁部を有し、コアから離れるその高さの少なくとも一部にわたって細くなり、前記凸状縁部に向かって減少する幅を有する。
【００４３】
スパイクの横断面は、実質的には、円形、半円形（半月と称される）、楕円形、もしくは半楕円形の形状を有することができ、またはたとえば、多角形、具体的には、六角形とすることもできる。
【００４４】
少なくとも１つのスパイクは、丸い、具体的には半球形の自由端によって終端され得、その曲率半径は、０．０８ｍｍから０．２ｍｍの間とすることができ、たとえば、約０．１５ｍｍに等しい。
【００４５】
アプリケータ部材のスパイクの自由端は、アプリケータ部材の包絡表面を画定し、この包絡表面は、たとえば、その長さの少なくとも一部に沿う回転円柱の形態にある。
【００４６】
包絡表面は、アプリケータ部材の長さの少なくとも一部に沿って、具体的にはスパイクを担持するコアの半分を超える一部に沿って、実質的に一定である最大横断方向寸法を有することができる。
【００４７】
包絡表面はまた、アプリケータ部材の長さのすべてまたは一部に沿って変動する横断面を有することができる。包絡表面の横断面は、たとえば、１つまたは複数の極点、たとえば、少なくとも１つの局所最小点と２つの局所最大点とを有することができる。最小高さのスパイクの上面を通る包絡表面の直径は、５ｍｍから７．５ｍｍの間とすることができ、たとえば、約６ｍｍに等しい。最大高さのスパイクの上面を通るアプリケータ部材の包絡表面の直径は、６．５ｍｍから１１ｍｍの間とすることができ、たとえば、約７．５ｍｍに等しい。
【００４８】
コアは、任意の、具体的には円形の形状を有する、その長手方向軸に垂直に取られる横断面を有することができる。コアの最大横断面、つまり、コアの横断面が円形の形状を有する場合におけるその直径は、１．８ｍｍから３．２ｍｍの間とすることができ、具体的には約２．８ｍｍに等しい。
【００４９】
コア、スパイク、および補強帆は、１つの、同じ材料から成形され得、または一変形形態においては、少なくとも２つの相異なる材料から作製され得る。
【００５０】
好ましくは、コアならびに／またはスパイクおよび／もしくは補強帆は、熱可塑性材料、具体的にはエラストマ熱可塑性材料で作製される。
【００５１】
アプリケータ
アプリケータは、第１の端部においてアプリケータ部材を担持しており、第２の端部において把持部材に固定されている、ステムを有することができる。
【００５２】
コアは、中実とすることができ、たとえば、アプリケータのステムに固定するための端部片とともに成形される。
【００５３】
アプリケータ部材は、スナップ留め、接着剤接合、溶着、圧着、加圧、ステープリング、圧力嵌め、低温状態嵌め、または高温状態嵌めによって、たとえば、ステムの中の筐体に実装されるアプリケータ部材の端部片によって、ステムに固定され得る。一変形形態においては、ステムは、コアに設けられる筐体において受け入れられる。
【００５４】
また、ステムおよびアプリケータ部材を、一体に、同じ熱可塑性材料から成形することも、または成形しないことも可能である。
【００５５】
スパイクおよび／または補強帆は、コアが取り付けられているアプリケータのステムを製作するのに使用される材料よりも高剛性または低剛性の材料で作製され得る。
【００５６】
コアは、長手方向軸に沿って延びることができ、その長手方向軸は、その長さに沿って少なくとも１つの点において、コアが固定されるステムの長手方向軸と非ゼロ角度を形成する。アプリケータ部材は、ステムへのその取付け時に角度付けされ得る。
【００５７】
ステムは、第１の剛性部分を有することができ、この第１の剛性部分は、アプリケータ部材を担持する、たとえばエラストマ製の、第２のより可撓性の部分によって遠位側において延びている。
【００５８】
アプリケータ部材の可視長は、１８ｍｍから３５ｍｍの間、さらに好ましくは、２２ｍｍから２９ｍｍの間とすることができ、たとえば、約２４．５ｍｍに等しい。
【００５９】
アプリケータは、１５０個から４５６個のスパイク、たとえば、１６８個から３００個のスパイクを有することができる。
【００６０】
ステムを起点とするコアの長手方向軸に沿って最初のスパイクは、コアの近位端から非ゼロ、具体的には０．２ｍｍから０．７ｍｍの間の距離において配置され得る。ステムを起点とするコアの長手方向軸に沿って最後のスパイクは、コアの遠位端から非ゼロ、具体的には０．３ｍｍから０．９ｍｍの間の距離において配置され得る。
【００６１】
塗布用具
本発明のさらなる主題は、製品をパッケージ化し、睫毛および／または眉毛に塗布するための用具であり、この用具は、上に定義される、本発明によるアプリケータと、塗布されることになる製品を収容する容器とを有する。
【００６２】
アプリケータの把持部材は、容器を閉じるためのキャップを形成することができる。
【００６３】
容器は、ステムおよびアプリケータ部材をしごくのに適している、有利には、開口部を画定するしごきリップを有するしごき部材を有することができる。
【００６４】
コアの長手方向軸をその中心として有しており、コアの長手方向軸に垂直な横断面において補強帆の上面を通る、外接円の直径と、しごき部材のリップによって画定される開口部の直径との比率は、０．５５から１．１５の間とすることができる。
【００６５】
好ましくは、製品は、マスカラである。
【００６６】
本発明は、その限定していない実装形態例の以下の詳細な説明を読むことにより、および添付の図面を参照すると、より良く理解され得る。
【図面の簡単な説明】
【００６７】
【図１】本発明により製作される例示的なパッケージ化／塗布用具の、部分的に長手    方向断面における概略的立面図である。
【図２】図１からのアプリケータ部材の、それ自体における透視図である。
【図２Ａ】図２からのアプリケータ部材の詳細を示す図である。
【図２Ｂ】図２からのアプリケータ部材の詳細を示す図である。
【図３】図２からのアプリケータ部材の詳細の長手方向断面における図である。
【図４】図２からのアプリケータ部材のＩＶ〜ＩＶに沿った断面図である。
【発明を実施するための形態】
【００６８】
図１は、本発明により製作されるパッケージ化／塗布用具１を示し、このパッケージ化／塗布用具１は、アプリケータ２と、睫毛および／または眉毛に塗布されることになる製品Ｐ、たとえば、マスカラまたはケア用製品を収容する関連の容器３とを有する。
【００６９】
容器３は、本例においては、ねじ山付きネック４を有し、アプリケータ２は、容器３をそれが使用されていないときに封止された形で閉じるようにするために、ネック４において固定されるように設計されているクロージャキャップ５を有し、クロージャキャップ５はまた、アプリケータ２に対する把持部材を形成する。
【００７０】
アプリケータ２は、長手方向軸Ｙのステム７を有し、このステム７は、その上方端においてクロージャキャップ５に、およびその下方端においてアプリケータ部材８に取り付けられている。アプリケータ部材８は、コア１０を有し、このコア１０は、コア１０から、コア１０を中心として全面的に延びるスパイク１８を担持する。図２においてわかるように、ステム７を起点とするコア１０の長手方向軸Ｘに沿って最初のスパイク１８は、コアの近位端１１から非ゼロ、たとえば、約０．３５ｍｍに等しい距離ｄｔにおいて配置される。ステム７を起点とするコア１０の長手方向軸Ｘに沿って最後のスパイク１８は、コア１０の遠位端１２から非ゼロ、たとえば、約０．５５ｍｍに等しい距離ｄｄにおいて配置される。
【００７１】
容器３はまた、ネック４の中に挿入されるしごき部材６を有する。
【００７２】
このしごき部材６は、任意の適切なタイプのものとすることができ、本例においては、アプリケータ２が容器３から引き出されるとき、ステム７およびアプリケータ部材８をしごくように設計されているリップを有する。リップは、直径をステム７の直径に適合させたしごき開口部６ａを画定する。しごき部材６は、エラストマで作製され得る。しごき開口部６ａは、たとえば、円形の形状を有する。
【００７３】
しごき開口部６ａの直径φａは、通常、３ｍｍから５．５ｍｍの間であり、たとえば、約４．５ｍｍまたは５ｍｍである。
【００７４】
示されている例においては、ステム７は、円形の横断面を有するが、ステム７が何らかの他の断面を有する場合には、これは、本発明の範囲から逸脱するものではなく、必要に応じて、ねじ締め以外の何らかのやり方で、容器３上のキャップ５を固定することが可能である。しごき部材６は、適宜、ステム７の形状およびアプリケータ部材８の形状に適合される。
【００７５】
好ましくは、本例のように、ステム７の長手方向軸Ｙは、直線状であり、アプリケータ２がその上の定位置にあるときには、容器３の長手方向軸と一致するが、ステム７が直線状ではなく、たとえば、エルボを形成する場合、これは、本発明の範囲から逸脱するものではない。
【００７６】
必要であれば、ステム７は、格納中にしごき部材６に過度に機械的応力を加えないために、しごき部材６のリップに対向して位置決めされるその部分において、環状の狭窄部を有することができる。
【００７７】
図２に示されているように、アプリケータ部材８は、ステム７の対応する筐体にそれを固定するための端部片９を有することができる。
【００７８】
アプリケータ部材８は、任意の手段によって、具体的には圧力嵌め、スナップ留め、接着剤結合、溶着、ステープリング、または圧着によって、ステム７のこの筐体に固定され得る。
【００７９】
図２を参照すると、コア１０は、説明される例においては直線状である長手方向軸Ｘに沿って長細い形状を有することがわかる。長手方向軸Ｘは、例示されているように、中心にあることができる。
【００８０】
アプリケータ部材８の可視長Ｈは、たとえば、２４．５ｍｍに等しい。
【００８１】
示されている例においては、スパイク１８はそれぞれ、スパイク１８がコア１０に取り付けられている点において、コアの表面に垂直な延伸軸Ｗに沿ってコア１０から延びる。
【００８２】
具体的には図２においてわかるように、アプリケータ部材８は、スパイク１８のための補強帆１３を有し、スパイク１８は、スパイクの基部によってコア１０に取り付けられ、コア１０の長手方向軸Ｘに平行に延びる。
【００８３】
有利には、２つの対向する補強帆１３は、アプリケータ部材８の各スパイク１８の脇に位置し、前記補強帆１３は、説明されている例においては、具体的には図３においてわかるように、前記補強帆１３は、それらが脇に位置するスパイク１８の中央平面Ｍに関して対称である。
【００８４】
問題の例においては、補強帆１３とスパイク１８との間の結付きは、図２Ａに示されているように、スパイク１８の延伸軸Ｗに平行な、補強帆１３の隆起部１３ａに沿って行われる。
【００８５】
説明されている例においては、スパイク１８および補強帆１３は、具体的には図２においてわかるように、複数の直線状の長手方向列１７、１９、２０に、アプリケータ部材８において配置され、スパイクの各長手方向列１７は、隣接する長手方向列１９に対して軸方向にオフセットされる。
【００８６】
１つおきの長手方向列におけるスパイク１８および補強帆１３は、有利にはすべて、図２に例示されているように、たとえば、長手方向列１７と２０との間のコア１０の長手方向軸Ｘに沿って同じ軸位置を占める。
【００８７】
問題の例においては、長手方向列の数は、偶数であり、たとえば、１２に等しい。
【００８８】
２つの隣接する長手方向列１７、１９におけるスパイク１８は、具体的には図２Ａにおいてわかるように、それらの基部において結合されていなくてよく、このことはまた、２つの隣接する長手方向列における補強帆１３の場合にも当てはまる。
【００８９】
具体的には図２Ａに示されているように、１つの長手方向列１７内では、有利には、２つの連続したスパイク１８の補強帆１３は、互いの間に溝１３ｂを画定し、この溝１３ｂは、丸い底部を有し、問題の例においては、コア１０の長手方向軸Ｘに垂直な軸回りの円柱形である。好ましくは、前記溝１３ｂは、コア１０から、非ゼロ距離ｄｇ、たとえば、０．０５ｍｍから０．３ｍｍの間において延びる。
【００９０】
説明されている例においては、補強帆１３は、具体的にはコア１０の長手方向軸Ｘに対して１０°から５５°の間の勾配を有する略三角形の形状を有する。
【００９１】
たとえば、図４においてわかるように、好ましくは、補強帆１３の高さｈｖは、スパイク１８の高さｈｐ未満であり、具体的にはスパイク１８の高さｈｐの４分の３未満である。
【００９２】
補強帆１３の高さｈｖとスパイク１８の高さｈｐとの比率ｈｖ／ｈｐは、０．０５から０．２の間、さらに好ましくは、０．０６から０．１５の間とすることができる。
【００９３】
補強帆１３の高さｈｖは、コア１０の長手方向軸Ｘに沿って一定であり、たとえば、０．１ｍｍから０．５ｍｍの間、さらに好ましくは、０．１５ｍｍから０．３５ｍｍの間とすることができる。
【００９４】
コア１０の長手方向軸Ｘをその中心として有しており、補強帆１３の上面１３ｃを通る、外接円の直径φｖと、しごき部材６のリップによって画定される開口部６ａの直径φａとの比率は、０．５５から１．１５の間とすることができる。
【００９５】
有利には、補強帆１３の厚さｅｖは、図２Ｂに示されているように、スパイク１８の厚さｅｐ未満である。補強帆１３の厚さｅｖは、０．３５ｍｍから０．６５ｍｍの間とすることができ、たとえば、約０．４ｍｍに等しい。
【００９６】
有利には、補強帆１３の、それらの基部における幅ｌｖは、コア１０の長手方向軸Ｘに沿って一定である。補強帆１３の、それらの基部における幅ｌｖは、０．５ｍｍから０．９ｍｍの間とすることができ、たとえば、０．６ｍｍに等しい。
【００９７】
補強帆１３は、スパイク１８の方向に狭窄することができ、それらの厚さおよびそれらの幅は、スパイク１８の自由端１８ｅの方向に減少する。
【００９８】
図２においてわかるように、スパイク１８の高さｈｐは、コア１０の長手方向軸Ｘに沿って変動することができる。高さｈｐは、コア１０の遠位端１２に向かって減少して、容器３への挿入を容易にすることができる。この高さｈｐは、０．５ｍｍから３ｍｍの間、さらに好ましくは、０．７５ｍｍから２ｍｍの間とすることができる。
【００９９】
図４を参照すると、最小高さのスパイク１８によって形成される包絡表面の直径φ２は、５ｍｍから７．５ｍｍの間とすることができ、たとえば、約５．６ｍｍに等しい。最大高さのスパイク１８によって形成されるアプリケータ部材８の包絡表面の直径φ１は、６．５ｍｍから１１ｍｍの間とすることができ、たとえば、約７．５ｍｍに等しい。
【０１００】
スパイク１８は、具体的には図４においてわかるように、側面から見て、それらの自由端２８の方向に狭窄することができる。
【０１０１】
スパイク１８の厚さｅｐは、０．３ｍｍから０．７ｍｍの間とすることができ、たとえば、問題の例のように、約０．５ｍｍに等しい。
【０１０２】
スパイク１８の幅ｌｐは、０．３５ｍｍから０．６５ｍｍの間とすることができ、たとえば、約０．４ｍｍに等しい。
【０１０３】
具体的には図４においてわかるように、スパイク１８の埋込みは、スパイク１８の２つの連続したクラウン２１と２２であって、それぞれがコア１０の長手方向軸Ｘ上の１つの、同じ軸位置を占めるスパイク１８によって形成されるクラウン２１と２２との間のコア１０の長手方向軸Ｘに関する角度αが非ゼロになるように、たとえば、クラウンの中の２つの連続したスパイク間の角度ピッチβの半分に等しくなるようにすることができる。
【０１０４】
１つの、同じ長手方向列１７内では、２つの連続したスパイク１８間の間隔Ｓｐは、１ｍｍから２ｍｍの間とすることができ、たとえば、説明されている例のように、１．８ｍｍに等しい。
【０１０５】
スパイク１８は、様々な形状を有することができる。問題の例においては、具体的には図４においてわかるように、スパイク１８は、円錐形の形状を有する。
【０１０６】
本例においては、スパイク１８の自由端２８は、アプリケータ部材８の包絡表面Ｓを画定し、この包絡表面Ｓは、コア１０の長手方向軸Ｘと一致している直線状の長手方向軸を有し、前記軸Ｘを中心として回転対称である。
【０１０７】
スパイク１８および補強帆１３は、本例においては、熱可塑性材料を成形することによってコア１０と一体に作製される。
【０１０８】
アプリケータ部材８を成形するには、相対的に高剛性であってもまたはなくてもよい任意の熱可塑性材料、たとえば、ＳＥＢＳ、シリコーン、ラテックス、滑りを改善した材料、ブチル、ＥＰＤＭ、ニトリル、熱可塑性エラストマ、ポリエステルエラストマ、ポリアミドエラストマ、ポリエチレンエラストマ、またはビニルエラストマ、ＰＥもしくはＰＰ、ＰＶＣ、ＥＶＡ、ＰＳ、ＳＥＢＳ、ＳＩＳ、ＰＥＴ、ＰＯＭ、ＰＵ、ＳＡＭ、ＰＡもしくはＰＭＭＡなどのポリオレフィンを用いることができる。また、たとえばアルミナベースのセラミック、たとえばユリアホルムアルデヒドタイプの樹脂、および可能性としては、フィラーとしてグラフファイトを含んだ材料を使用することも可能である。具体的にはＴｅｆｌｏｎ（登録商標）、Ｈｙｔｒｅｌ（登録商標）、Ｃａｒｉｆｌｅｘ（登録商標）、Ａｌｉｘｉｎｅ（登録商標）、Ｓａｎｔｏｐｒｅｎｅ（登録商標）、Ｐｅｂａｘ（登録商標）、およびＰｏｌｌｏｂａｓ（登録商標）という商標名の下、知られている材料を使用することが可能であり、このリストは、限定的ではない。
【０１０９】
用具１を使用するには、ユーザは、クロージャキャップ５を捩じって外し、容器３からアプリケータ部材８を引き出す。
【０１１０】
一旦、アプリケータ部材８がしごき部材６を通過すると、特定の量の製品Ｐが、補強帆１３の中の溝におけるスパイク１８間と、列間とに残存し、それにより、スパイク１８は、しごき部材６を通過中、それらの基部において曲がらず、コア１０の全長に沿って、すべての側面において製品Ｐのリザーバが生まれ、製品Ｐを睫毛および／または眉毛に満足のいく形で載せることが可能になる。
【０１１１】
もちろん、本発明は、説明したばかりの例示的な実施形態に限定するものではない。
【０１１２】
アプリケータ部材８は、振動可能であってよく、言い換えれば、たとえば、特許文献２に記載されているように、製品Ｐの塗布、コーミング、または取出しの間、それに振動を加えることが可能である。
【０１１３】
さらなる変形形態においては、アプリケータ部材８は、回転可能であってよく、言い換えれば、たとえば、製品Ｐの塗布、コーミング、または取出しの間、コア１０の長手方向軸Ｘを中心として回転運動を行うように作製され得る。
【０１１４】
さらなる変形形態においては、アプリケータ部材８は、加温可能であってよく、言い換えれば、ケラチン繊維、睫毛および／もしくは睫毛、ならびに／またはアプリケータ部材８のスパイク１８および／もしくはコア１０および／もしくは補強帆１３を加温するための加温要素を有することが可能である。
【０１１５】
また、アプリケータ部材８は、振動可能、回転可能、および加温可能にすること、または振動可能および回転可能にのみすること、または振動可能および加温可能にのみすること、または回転可能および加温可能にのみすること、または振動可能にのみすること、もしくは回転可能にのみすること、もしくは加温可能にのみすることも可能である。
【０１１６】
アプリケータ部材８は、銀塩、銅塩、保存料、および製品Ｐについての少なくとも１つの保存料などの任意の殺菌剤を含むことができる。
【０１１７】
さらには、コア１０および／またはスパイク１８および／または補強帆１３は、粒子、たとえば、フィラー、具体的には磁気性、静菌性、または水分を吸収する化合物、そうでなければスパイク１８のおよび／または補強帆１３の表面に粗さを作り出すこと、または睫毛および／もしくは眉毛がスパイクおよび／もしくは補強帆１３に対して滑らかに動くのを助けることを意図した化合物を含むことができる。コア１０およびスパイク１８および補強帆１３のうちの少なくとも一方は、植毛加工され、または任意の熱もしくは機械的な処理を受けることが可能である。
【０１１８】
「１つを有する(having a)」という表現は、「少なくとも１つを有する(having at least one)」と同義であると理解すべきであり、「間(between)」は、逆に対して指定されない限り、境界値を含んでいると理解される。
【符号の説明】
【０１１９】
１  パッケージ化／塗布用具
２  アプリケータ
３  容器
４  ねじ山付きネック
５  クロージャキャップ
６  しごき部材
６ａ  しごき開口部
７  ステム
８  アプリケータ部材
１０  コア
１１  近位端
１２  遠位端
１３  補強帆
１３ａ  隆起部
１３ｂ  溝
１３ｃ  上面
１７、１９、２０  長手方向列
１８  スパイク
１８ａ、１８ｂ  アーム
１８ｃ  基部
１８ｅ  自由端
２１、２２  クラウン
２８  自由端
ｈｖ  高さ
ｈｐ  高さ
ｈｖ／ｈｐ  比率
φ１  直径
φ２  直径
φｖ  直径
φａ  直径
ｅｖ  厚さ
ｅｐ  厚さ
ｌｖ  幅
ｌｐ  幅
α  角度
β  角度ピッチ
ｄｇ  距離
Ｓｐ  間隔
Ｈ  可視長
Ｍ  中央平面
Ｐ  製品
Ｓ  包絡表面
Ｗ  延伸軸
Ｘ  長手方向軸
Ｙ  長手方向軸
【図１】
0006785761.tif 000002
【図２】
0006785761.tif 000003
【図２Ａ】
0006785761.tif 000004
【図２Ｂ】
0006785761.tif 000005
【図３】
0006785761.tif 000006
【図４】
0006785761.tif 000007